(57)【要約】【課題】簡易な構成のために取り付け・取り外しが容易でありながら、電気施設に設けられた扉から侵入する雨水を確実に防止する防雨器具を提供する。【解決手段】キュービクル本体６の前面８又は側面９に設けられた扉１１から侵入する雨水を防止する防雨器具１であって、扉１１よりも上方に端部が固定される庇２と、庇２から吊下げられ，扉１１を被覆するカバーシート３と、カバーシート３を分割するファスナ４ａ，４ｂ，４ｃと、を備える。【選択図】図１
2013143811.tif 000002
【特許請求の範囲】
【請求項１】
キュービクル本体の前面又は側面に設けられた扉から侵入する雨水を防止する防雨器具であって、
前記扉よりも上方に端部が固定される庇と、
前記庇から吊下げられ，前記扉を被覆するカバーシートと、
前記カバーシートを分割するファスナと、を備えることを特徴とする防雨器具。
【請求項２】
前記庇は、磁石を用いて前記扉よりも上方の前記キュービクル本体の前面又は側面へ吸着固定され、
前記カバーシートの側端は、磁石を用いて前記キュービクル本体の前面又は側面に吸着固定されることを特徴とする請求項１記載の防雨器具。
【請求項３】
前記カバーシートは、前記扉を開放可能に前記庇の外形に沿い前記キュービクル本体側の面を除く前面及び両側面を形成して吊り下げられ、
前記ファスナは、前記カバーシートの前記前面と両側面で形成される両角部及び前記前面において，前記カバーシートをそれぞれ上下方向に沿って分割し，下端は前記カバーシートを分離可能に形成されることを特徴とする請求項１又は請求項２記載の防雨器具。
【請求項４】
前記カバーシートは、透明な不透水性材からなることを特徴とする請求項１乃至請求項３のいずれか１項に記載の防雨器具。
【請求項５】
前記ファスナは、前記カバーシートの表面及び裏面から開閉操作可能であることを特徴とする請求項１乃至請求項３のいずれか１項に記載の防雨器具。
【発明の詳細な説明】
【技術分野】
【０００１】
本発明は、電気施設に設けられた扉から侵入する雨水を防止する防雨器具に係り、特に、扉よりも上方に設けられた庇から吊下げられ，この扉を被覆可能とするカバーシートを備えた防雨器具に関する。
【背景技術】
【０００２】
従来、降雨時にキュービクル等の電気施設に設けられた扉を開放して作業や点検を行う場合、開放された出入口から雨水が侵入し、施設内部の機器にトラブルが発生する可能性があった。このようなトラブルを未然に防止するために予め計画されていた作業等を中止や延期としなければならず、作業計画が滞ることが多かった。また、作業中における急な降雨の場合にあっては、作業を中断する、又は電気施設全体を防水シート等で被覆した後に作業をそのまま続行する、といった措置を行って来た。
上記のように、電気施設に雨水の侵入を防止する対策には、多くの時間と労力が費やされ、その結果作業の遅延や作業効率が低下するといった課題があった。
そこで、このような課題を解決する目的で、近年、雨水の侵入防止に関する技術が開発されており、それに関して既にいくつかの発明が開示されている。
【０００３】
特許文献１には「雨水防御装置」という名称で、キュービクル等の扉前に取り付けて雨水の侵入を防止する装置に関する発明が開示されている。
以下、特許文献１に開示された発明について説明する。特許文献１に開示された発明は、前部が開放されているボックス形状に枠組み形成された枠組体と、該枠組体に取り付けたカバーフィルムとから成り、枠組体の前部開放側を、施設の扉部側を向くように配置して、施設の扉部を枠組体により覆ったことを特徴とする。
このような特徴を備えた雨水防御装置においては、施設の扉部を枠組体により簡単に覆って、施設内に雨水が入り込まない状態が確保されるという作用を有する。よって、雨天時においても施設の扉が開放することが可能であり、必要な作業を迅速に行うことができる。また、軽量かつ簡易な構造であるため、雨天時に作業員が一人で運搬し、簡単に組み立てて施設に容易に取り付けることができる。
【０００４】
次に、特許文献２には「雨雪防護具」という名称で、屋外盤をビニールシートで被覆する雨雪防護具に関する発明が開示されている。
特許文献２に開示された発明は、屋外盤の天板の上面に取り付けた固定台と、該固定台に柄部を直立状に着脱自在に固定した大型傘と、該大型傘の周縁部に上縁を固定して垂下され下縁に複数個の重錘を取り付けたビニールシートとを具備
し、該大型傘の周縁部の数個所を係留紐により屋外盤の側壁に係留したことを特徴とする。
このような特徴を有する雨雪防護具においては、大型傘とビニールシートとにより上からと側面からの雨雪を防護し、係留紐により大型傘の揺動を防止する。さらに、重錘によりビニールシートのめくれを防止する。従って、作業員及び屋外盤を雨雪から遮蔽し防護することができる。また、構造が簡単で頑丈かつ軽量であるため、一人で運搬や組立分解が容易に行うことができる。
【０００５】
そして、特許文献３にも、「雨除け機能付き配電盤および雨除け・日除け両機能付き配電盤」という名称で、降雨時に扉を開いて内部の保守，点検をするのに好適な配電盤に関する発明が開示されている。
特許文献３に開示された発明は、扉設置面の上部における左右の各側端箇所に、その扉設置面と直角に突出，退避可能に設けられた掛具と、突出時の各掛具に掛け渡されて両側に垂らされる雨除け用シートと、を備えたことを特徴とする。
このような特徴を有する雨除け機能付き配電盤等においては、雨除け用シートが、扉設置面前方空間の上面と左右の各側面とを覆うという作用を有する。従って、降雨時において扉を開けたときに雨が内部に降り込むのを防止することができる。
【０００６】
さらに、特許文献４には「防雨器具」という名称で、屋外操作盤の前面への雨の侵入を防止する防雨器具に関する発明が開示されている。
特許文献４に開示された発明は、屋外操作盤の前面への雨の侵入を防ぐための防雨器具であって、屋外操作盤の上部から前方へとスライド可能な防雨屋根と、前記防雨屋根の両側縁に取り付けられ、該防雨屋根に面する位置から該側縁に垂下する位置まで回転可能な１組の側板と、から構成されることを特徴とする。
このような特徴を有する防雨器具においては、防雨屋根だけでなく側板を設けたことで横からの雨の侵入が防止される。また、側板を防雨屋根に面する位置から側縁に垂下する位置まで回転可能とすることで、簡易に短時間でのセット及び収納が完了する。従って、不使用時には屋外操作盤へ収納でき、使用時には風が強い時であっても確実に屋外操作盤の前面への雨の侵入を防ぐことができるという効果を有する。
【先行技術文献】
【特許文献】
【０００７】
【特許文献１】特開２００８−２２８４０４号公報
【特許文献２】特開平８−１６７３４１号公報
【特許文献３】特開平７−１１５７１３号公報
【特許文献４】特開２０１１−１３９６１９号公報
【発明の概要】
【発明が解決しようとする課題】
【０００８】
特許文献１に開示された発明においては、枠組体にカバーフィルムを取り付ける構造のため常に一定大きさの雨水防御装置が組み立てられることから、扉の大小や強風の場合には雨水防御装置を縮小して設置するといった対応が困難である。また、下側カバーフィルム下側枠部に取り付けた場合に、作業員の出入りや測定機器の搬入が困難となる可能性がある。
【０００９】
次に、特許文献２に開示された発明においては、大型傘を設置するための柄部や固定台といった部材が必要であり、運搬や組み立てが大掛かりとなって急激な天候変化に対応困難な可能性がある。
【００１０】
さらに、特許文献３に開示された発明においては、防水シートがケース本体の扉の前面方向に設置されていないことから、この方向からの雨水の侵入を防止できない可能性が高い。また、丸鉄棒は特に固定されていないため、風により動いてしまい作業員等に接触する危険性がある。
【００１１】
そして、特許文献４に開示された発明においては、特許文献２に開示された発明と同様に屋外操作盤の扉の前面方向からの雨水の侵入を防止できない可能性が高い。また、側板の上下方向における長さも短いため、側方からの雨水の侵入も防止できない可能性が高い。
【００１２】
本発明は、このような従来の事情に対処してなされたものであり、簡易な構成のために取り付け・取り外しが容易でありながら、電気施設に設けられた扉から侵入する雨水を確実に防止する防雨器具を提供することを目的とする。
【課題を解決するための手段】
【００１３】
上記目的を達成するため、請求項１記載の発明に係る防雨器具は、キュービクル本体の前面又は側面に設けられた扉から侵入する雨水を防止する防雨器具であって、扉よりも上方に端部が固定される庇と、庇から吊下げられ，扉を被覆するカバーシートと、カバーシートを分割するファスナと、を備えることを特徴とする。
このような構成の防雨器具において、庇が扉よりも上方に端部が固定されることから、庇が扉に直接固定される構造ではなく、例えば扉よりも上方のキュービクル本体の屋根や壁面に固定される構造である。また、「固定」には、例えばネジ止めや溶接により着脱不能に固着される場合、及び係止部材等を用いて着脱可能に取り付けられる場合のいずれもが含まれる。また、この庇は、それ自体が折り畳み可能・不能な構造のいずれであっても良い。
そして、ファスナにおいては、カバーシートの上端部から下端部全体に亘って設けられている場合、及びこれら上下端部間の一部のみに設けられている場合のいずれもが含まれる。そして、カバーシートが「庇から吊下げられる」とは、例えばカバーシート上端部に貫通孔が設けられ、これを介してフック等により庇の端部に吊下げられる構造をいう。なお、カバーシートは、収納容易とするために庇より取り外される構造であることが望ましい。
また、上記構成による防雨器具においては、カバーシートが扉を被覆するため、扉を開放した場合にキュービクル本体へ雨水が侵入しないという作用を有する。さらに雨水の他、風雪の侵入も防止される。加えて、カバーシートは、扉に直接取り付けられるものではないため、カバーシートの設置により扉の開閉が困難とはならないという作用を有する。
そして、ファスナを開閉すれば、カバーシートが完全に分割又はその一部分が分割された状態になり、さらに再び連結された状態になる。
【００１４】
次に、請求項２記載の発明に係る防雨器具は、請求項１記載の防雨器具において、庇は、磁石を用いて扉よりも上方のキュービクル本体の前面又は側面へ吸着固定され、カバーシートの側端は、磁石を用いてキュービクル本体の前面又は側面に吸着固定されることを特徴とする。
上記構成の防雨器具においては、磁石が庇の端面を挟んでキュービクル本体の前面又は側面に吸着固定する構造となっている。
そしてこの防雨器具においては、請求項１記載の発明の作用に加え、磁石により庇が固定されることから、庇の取り付け及び取り外しが容易に行われるという作用を有する。さらに、庇はキュービクル本体の前面又は側面に吸着固定されるため、前面のみならず側面に設けられた扉からの雨水の侵入が防止される。また、磁石は任意の位置に設置されることから、庇は扉よりも上方の所望の位置に固定されるという作用を有する。
次に、カバーシートの側端は、磁石を用いてキュービクル本体に吸着固定されるため、カバーシートの側端とキュービクル本体との間隙からの雨水の侵入が防止される。
なお、キュービクル本体の前面及び側面は当然に鉄等の強磁性体であることが必要であるが、庇の端部及びカバーシートは特に強磁性体である必要はない。また、磁石は適切な形状や磁束密度のものを適宜使用すると良い。
【００１５】
さらに、請求項３記載の発明に係る防雨器具は、請求項１又は請求項２記載の防雨器具において、カバーシートは、扉を開放可能に庇の外形に沿いキュービクル本体側の面を除く前面及び両側面を形成して吊り下げられ、ファスナは、カバーシートの前面と両側面で形成される両角部及び前面において，カバーシートをそれぞれ上下方向に沿って分割し，下端はカバーシートを分離可能に形成されることを特徴とする。
上記構成の防雨器具においては、請求項１又は請求項２に記載の発明の作用に加えて、キュービクル本体側の面とカバーシートの前面及び両側面とで立体空間が形成される。よって、「扉を開放可能に」とはこの立体空間内において扉が開放されることを意味している。従って、例えば立体空間内で作業する作業者や測定機器は、扉を開放しながらの作業でも雨水にさらされることがないという作用を有する。なお、カバーシートは、庇の外形に沿って吊り下げられることから、カバーシートが扉の開放を妨げないようにするためには、庇の面積をこの立体空間の横断面積と略同等以上にすると良い。ただし、必ずしもこのようにする必要はない。
また、ファスナは、カバーシートの前面と両側面で形成される両角部及び前面という合計３箇所に設けられるため、カバーシートは４分割されるという作用を有する。さらに、カバーシートは、上下端いずれにおいても分離される他、上端において分離せず下端においてのみ分離される場合もある。なお、ファスナは、線ファスナ、面ファスナ又は点ファスナのいずれでもあっても良い。
【００１６】
そして、請求項４記載の発明に係る防雨器具は、請求項１乃至請求項３のいずれか１項に記載の防雨器具において、カバーシートは、透明な不透水性材からなることを特徴とする。
上記構成の防雨器具においては、請求項１乃至請求項３のいずれか１項に記載の発明の作用に加え、透明であることから、カバーシートに被覆された場合であっても周囲からの光が十分入射するという作用を有する。さらに、不透水性材からなるため、雨水はもちろんのこと風雪の透過が阻止されるという作用を有する。なお、このようなカバーシートの材質や厚さは特に限定されないが、破損容易でないものや、水分による密着性のないもの、又は外気温により硬度や形状が変化し難いものが望ましい。
【００１７】
そして、請求項５記載の発明に係る防雨器具は、請求項１乃至請求項３のいずれか１項に記載の防雨器具において、ファスナは、カバーシートの表面及び裏面から開閉操作可能であることを特徴とする。
上記構成の防雨器具においては、例えば線ファスナの場合では、引手がカバーシートの表面及び裏面において設けられる。
このような構成の防雨器具においては、請求項１乃至請求項３のいずれか１項に記載の発明の作用に加えて、カバーシートはその両面から分離・連結されるという作用を有する。
【発明の効果】
【００１８】
本発明の請求項１記載の防雨器具によれば、キュービクル本体へ雨水が侵入しないことから、雨天時においてキュービクル本体内部に設置されている電気機器のトラブルや、キュービクル本体内部における錆の発生といった劣化を防止することができる。また、作業者が雨に濡れることを防止可能であることから、キュービクル本体内部での作業者の感電事故を抑制することができる。
さらに、この防雨器具は、庇と、カバーシートと、カバーシートを分割するファスナと、からなり、非常に簡易な構成であることから、低コストでの導入が可能である。
また、庇が着脱不能に固着される場合にあっては、より強固に取り付けられることからカバーシートを十分に吊下げ可能である。よって、降雨に加えある程度の強風にもカバーシートが吹き飛ばされたり、庇を含む防雨器具全体が崩壊したりといったおそれが少ない。そのため、電気機器等ばかりでなく、作業中の作業員に対しても安全性が確保されるという効果を有する。
一方、庇が着脱可能に取り付けられる場合にあっては、複数の扉のうち、開放が必要な扉のみに作業の都度取り付けることができるので、扉と同数の庇を準備する必要がなく、庇が着脱不能に固着される場合よりも経済的である。なお、この場合であっても、係止部材等を工夫することで、庇の強固な取り付けが可能である。
さらに、カバーシートの設置により扉の開閉が困難とはならないため、作業の障害となる可能性が少なく、防雨器具を取り付けていない場合の作業と比較しても、作業効率の低下を招くことがほとんどない。
そして、ファスナを開閉すれば、カバーシートが分割又は連結された状態となることから、簡便な操作により、容易にキュービクル本体内部への出入りが可能である。
また、カバーシートが分割されることや、庇より取り外されること、カバーシートの張設のために枠組体等は不要であることから、作業時以外においてはカバーシートのみをコンパクトに折り畳むことが可能であり、持ち運びや収納に特に便利である。
【００１９】
本発明の請求項２記載の防雨器具によれば、請求項１記載の発明の効果に加えて、前面及び側面に設けられた扉からの雨水の侵入が防止されるため、いずれの扉付近に設置されている測定機器を防護できる。また、庇は扉よりも上方の所望の位置に固定されれば良く、取付位置に関して厳密である必要はないし、取付位置は磁石をずらすことで可能である。よって、急な降雨等の場合に慌てて取り付けても、前述の防護効果を発揮することができる。
次に、カバーシートの側端とキュービクル本体との間隙からの雨水の侵入が防止されるため、確実に測定機器等を防護することができる。さらに、風雪の侵入も防止されるため、カバーシートの側端がめくれ上がってカバーシートが飛散するおそれが少ない。
また、カバーシートは特に鉄等の強磁性体である必要はないことから、万一破損した際に市販の汎用品を利用可能であり、安価に修理・交換をすることができる。
【００２０】
本発明の請求項３記載の防雨器具によれば、請求項１又は請求項２に記載の発明の効果に加えて、キュービクル本体側の面とカバーシートの前面及び両側面とで立体空間が形成されるため、ある一定広さの作業空間が確保され、雨水を避けた上に楽な姿勢での作業が可能になるという効果を有する。
また、ファスナは合計３箇所に設けられるため、複数の出入口が確保されて作業の機動性が良好となる。さらに、カバーシートは、下端において分離されることから、この部分からの測定機器等の搬入・搬出を容易に行うことができる。
【００２１】
本発明の請求項４記載の防雨器具によれば、請求項１乃至請求項３のいずれか１項に記載の発明の効果に加えて、カバーシートが透明であるため十分な採光性を有し、新たに照明の設置をしなくても照度が維持される。さらに、不透水性材からなり、雨水や風雪の透過が阻止されることから、防寒効果も発揮される。
【００２２】
本発明の請求項５記載の防雨器具によれば、請求項１乃至請求項３のいずれか１項に記載の発明の効果に加えて、ファスナがカバーシートの片面からしか開閉不可の場合に比し、開閉の都度設置された面に作業者が移動することが不要であり、煩雑さがないという効果を有する。
【図面の簡単な説明】
【００２３】
【図１】は、実施例に係る防雨器具の使用状態図である。
【図２】（ａ）及び（ｂ）は、それぞれ実施例に係る防雨器具の正面図及び側面図である。
【図３】は、実施例に係る防雨器具の使用状態図である。
【発明を実施するための形態】
【実施例】
【００２４】
本発明の実施の形態に係る実施例の防雨器具について、図１及至図３を用いて詳細に説明する。
図１は、実施例に係る防雨器具の使用状態図である。
図１に示すように、本実施例の防雨器具１は、キュービクル本体６の屋根７に取り付けられた庇２と、庇２から吊下げられたカバーシート３と、カバーシート３に上下方向に沿って設けられた３本のファスナ４ａ，４ｂ，４ｃと、から構成される。このキュービクル本体６には、前面８に３枚の扉１０，１１と、側面９に１枚の扉１２が備えられ、このうち２枚の扉１１の上方に庇２が取り付けられている。なお、これらの扉１０，１１，１２は、いずれもノブ１３が設けられる一端が開放側である。また、キュービクル本体６のうち、少なくとも屋根７の端面７ａ、扉１０，１１を含む前面８及び扉１２を含む側面９は、塗装はされているものの鉄等の強磁性体で構成されている。
庇２は、その一端面が端面７ａに密着され、２個の磁石片５を用いて屋根７へ吸着固定される。なお、庇２は、例えば合成樹脂製等からなり、強磁性体でなくても良い。また、その高さ方向の位置については、扉１１よりやや上方であれば良く、屋根７が高い位置にある場合には、必ずしも屋根７に取り付けなくても良い。
続いて、カバーシート３は、合成樹脂シート等の透明な不透水性材からなり、シート前面３ａ，３ｂ及びシート側面３ｃ，３ｄを形成し、庇２の外形に沿って隙間なく取り外し可能に吊下げられる。さらに、カバーシート３は、シート端部３ｅ，３ｆにおいて、それぞれ２個の磁石片５を用いて扉１０及び側面９へ吸着固定される。カバーシート３の庇２への吊下げ手段は、図示していないものの、例えばカバーシート３の上端に貫通孔を設け、これにフック等を通して吊り下げたり、庇２の端面すべてが強磁性体の場合であれば、別途の磁石でカバーシート３を吸着させたりすると良い。また、カバーシート３の上端自体を強磁性体とし、庇２の端面に直接吸着させても良い。
磁石片５に用いる磁石は、適切な形状や磁束密度のものを適宜使用すると良いが、具体的な磁石の種類としては、フェライト磁石、コバルトサマリウム磁石、ネオジム磁石等を用いるとよい。さらに、成形の観点からは、焼結マグネット、プラスチックマグネット、ゴムマグネットのいずれでもよい。
ファスナ４ａ，４ｂ，４ｃは、いずれも線ファスナである。これらは、シート前面３ａとシート側面３ｄで形成される角部にファスナ４ａ、シート前面３ａとシート前面３ｂとの境界においてファスナ４ｂ，及びシート前面３ｂとシート側面３ｃで形成される角部にファスナ４ｃが配置される。
【００２５】
図２（ａ）及び図２（ｂ）は、それぞれ実施例に係る防雨器具の前面に設けられた扉を開放した場合における正面図及び側面図である。なお、図１で示した構成要素については図２、図３においても同一の符号を付して、その説明を省略する。
図２（ａ）に示すように、カバーシート３のシート前面３ａ，３ｂの総面積は、２枚の扉１１の開放口１１ａの面積よりもわずかに広い。従って、シート側面３ｃ，３ｄは、いずれも２枚の扉１１の外面に接触して設けられる。
図２（ｂ）に示すように、シート側面３ｃは、開放された一方の扉１１の全面を被覆している。なお、これに対向するシート側面３ｄにおいても同様である（図示せず）。
【００２６】
図３は、実施例に係る防雨器具の使用状態図であって、ファスナの一部を開放した場合の斜視図である。
図３に示すように、ファスナ４ｂ，４ｃは、カバーシート３の下端より略２／３の位置まで開放され、シート前面３ｂはこの開放部分においてシート前面３ａ，シート側面３ｃより分離している。また、ファスナ４ａは、上下方向すべてに亘って閉鎖され、シート前面３ａ及びシート側面３ｄは完全に連結されている。なお、ファスナ４ａ，４ｂ，４ｃには、カバーシート３の表面及び裏面において引手（図示せず）が設けられ、両面より開閉操作可能な構造となっている。
【００２７】
本実施例の防雨器具１によれば、カバーシート３のシート前面３ａ，３ｂの総面積は、開放口１１ａの面積よりもわずかに広く、シート側面３ｃ，３ｄは、開放された１枚の扉１１の全面を被覆していることから、カバーシート３は、扉１１の開放時において扉１１及び開放口１１ａを立体的に被覆する。従って、カバーシート３によりキュービクル本体６へ雨水が侵入しないという作用を有する。加えて、カバーシート３により扉１１の開閉が困難とはならないという作用を有する。
より詳細には、カバーシート３は、庇２の外形に沿って隙間なく吊下げられそのまま扉１１の下端までを被覆するため、上下方向からの雨水の侵入が防止される。また、水平方向からの雨水に対しては、シート側面３ｃ，３ｄがそれぞれ側面９及び扉１０に磁石片５により吸着固定されているため、シート側面３ｃ，３ｄからの雨水の侵入が防止されるとともに、風によってこの部分がめくれ上がることが防止される。なお、シート側面３ｃ，３ｄは、開放口１１ａを挟んで開放された扉１１のそれぞれに吸着固定されても良い。また、カバーシート３は、合成樹脂シート等の透明であることから、キュービクル本体６内部で作業をしている場合であっても、カバーシート３をはぐらない状態で周囲の状況が視認される。
【００２８】
さらに、庇２は、磁石片５を用いて扉１１の上方における屋根７の端面へ吸着固定されることから、庇２は容易に着脱される。よって、扉１１の他、扉１０や扉１２へも取り付けられる。
また、ファスナ４ａ，４ｂ，４ｃにより、シート前面３ａ，３ｂ及びシート側面３ｃ，３ｄはそれぞれ独立して分離され、その後再び所望するシート同士が連結される。なお、この分離は、カバーシート３を完全に分割、又は下端から所望する範囲における分離を意味する。
【００２９】
以上説明したように、本実施例の防雨器具１によれば、カバーシート３によりキュービクル本体６へ雨水が侵入しないことから、キュービクル本体６内部に設置されている電気機器のトラブルを防止することができる。従って、雨天における作業が可能となり、予め計画されていた作業の中止又は延期を回避することができる。また、急な降雨の場合であっても、中断することなく予定通りに作業を完了することが可能である。
また、防雨器具１は、庇２にカバーシート３を吊下げ、カバーシート３をキュービクル本体６に固定するという簡単な手順により組み立て可能なことから、迅速な取り付け・取り外しができ、設置時及び撤去時における作業者の負担が少ない。加えて、庇２、カバーシート３及び磁石片５はいずれも市販の汎用品を利用できるため、低コストでの導入・交換等が可能である。さらに、例えば合成樹脂からなる軽量の庇２を利用すれば、キュービクル本体６への固定が容易である。この場合、庇２にカバーシート３及び磁石片５を合わせた総重量も軽量であり、収納作業や運搬を容易に行うことができる。
【００３０】
さらに、カバーシート３は、扉１１の開放時において扉１１及び開放口１１ａを立体的に被覆するため、開放口１１ａ付近での作業者の動作が抑制されず迅速に作業を終了させることができる。また、庇２やシート端部３ｅ，３ｆは、固定位置が特定の一箇所のみに限定されていないことや、カバーシート３の張設には枠組体が不要であることから、例えば雨量や風速等が強い場合にはカバーシート３の張設範囲を狭める等の調整をすることができる。よって、天候の多様な変化にもある程度対応可能である。この点は、枠組体にカバーフィルムを取り付けた構成の防雨器具等が発揮し得ない優れた効果である。
加えて、カバーシート３は、不透水性であり、磁石片５により庇２及びキュービクル本体６へ隙間なく吸着固定されていることから、わずかな雨水の侵入も防止することができるとともに、防寒性にも優れている。
また、カバーシート３は、透明であることから十分な採光性を有し、防雨器具１の設置が作業の支障となることはない上に、周囲を容易に視認できることから、天候悪化の把握を迅速に行うことができる。よって、作業の中止時期等を的確に判断することができる。そして、カバーシート３にはファスナ４が設けられ、カバーシート３の両面から操作可能であることから、ファスナ４を開閉する都度作業者がいずれかの面へ移動するといった煩雑さがない。このファスナ４は、下端を開放することができるので、分離されたカバーシート３の隙間から測定機器等の容易な搬入等が可能であり、利便性が良い。また、作業後にカバーシート３をファスナ４ａ，４ｂ，４ｃに沿って折り畳めば収納容易であるとともに、これ以外の面に折り目が付くことを回避できる。
【００３１】
なお、本発明の防雨器具１の構造は本実施例に示すものに限定されない。例えば、カバーシート３の上端やシート端部３ｅ，３ｆに磁石が一体的に接着されていても良い。また、カバーシート３には、夏季における断熱及び遮光のため多少着色された透明シート材が用いられても良い。また、ファスナ４は、設置個数や位置も自在に変更することができる。
【産業上の利用可能性】
【００３２】
請求項１乃至請求項５に記載された発明は、キュービクル等の電気施設に設けられた扉から侵入する雨水を防止する防雨器具として利用可能である。
【符号の説明】
【００３３】
１…防雨器具  ２…庇  ３…カバーシート  ３ａ，３ｂ…シート前面  ３ｃ，３ｄ…シート側面  ３ｅ，３ｆ…シート端部  ４ａ，４ｂ，４ｃ…ファスナ  ５…磁石片  ６…キュービクル本体  ７…屋根  ７ａ…端面  ８…前面  ９…側面  １０，１１，１２…扉  １１ａ…開放口  １３…ノブ
【図１】
2013143811.tif 000003
【図２】
2013143811.tif 000004
【図３】
2013143811.tif 000005